(57)【要約】【課題】  迅速に制御することが可能となるブラインド制御装置、ブラインド制御システム、及びブラインド制御方法を提供する。【解決手段】  ブラインド制御装置３０は、少なくとも昼夜と期間に応じてブラインド２の制御モードが設定されるマトリックス表を記憶する記憶部３１と、昼夜と期間を確認する状態確認部３２と、状態確認部３２で確認された昼夜と期間に応じて記憶部３１に記憶されたマトリックス表に基づいてブラインド２の角度を決定するブラインド角度決定部３３と、を備えることを特徴とする。【選択図】図１
2016089588.tif 000002
【特許請求の範囲】
【請求項１】
少なくとも昼夜と期間に応じてブラインドの制御モードが設定されるマトリックス表を記憶する記憶部と、
前記昼夜と前記期間を確認する状態確認部と、
前記状態確認部で確認された前記昼夜と前記期間に応じて前記記憶部に記憶された前記マトリックス表に基づいて前記ブラインドの角度を決定するブラインド角度決定部と、
を備える
ことを特徴とするブラインド制御装置。
【請求項２】
前記マトリックス表において、前記期間は、室温と外気温によって夏期、中間期、又は冬期に分けられる
ことを特徴とする請求項１に記載のブラインド制御装置。
【請求項３】
前記マトリックス表において、前記夏期、前記中間期、及び前記冬期は、それぞれ空調機の使用状態によって冷房状態と暖房状態に分けられる
ことを特徴とする請求項２に記載のブラインド制御装置。
【請求項４】
前記マトリックス表において、前記昼は、日射有と日射無に分けられる
ことを特徴とする請求項１乃至３のいずれか１つに記載のブラインド制御装置。
【請求項５】
前記マトリックス表において、前記日射有と前記日射無は、それぞれ室内の執務者の位置情報によって分けられる
ことを特徴とする請求項４に記載のブラインド制御装置。
【請求項６】
前記夏期の前記昼に前記日射有で前記冷房運転状態の場合、前記ブラインドを全閉にする
ことを特徴とする請求項４に記載のブラインド制御装置。
【請求項７】
前記マトリックス表において、前記昼は、眩しさの指標によって分けられる
ことを特徴とする請求項１乃至３のいずれか１つに記載のブラインド制御装置。
【請求項８】
屋外光の状態を取得し、前記ブラインド角度算出部に入力する屋外光状態取得部と、
外気温を測定する外気温センサと、
室温を測定する室温センサと、
前記夏期、前記中間期、又は前記冬期を判定する期間判定部と、
前記室内を空調する空調機と、
前記複数のスラットのうち所定のスラットの角度を検出し、前記ブラインド角度算出部に入力するブラインド角度検出部と、
請求項１乃至７のいずれか１つに記載のブラインド制御装置と、
前記ブラインド角度決定部が決定した前記制御角度に応じて前記スラットを駆動し、前記複数のスラットの角度をそれぞれ変更する駆動部と、
を備える
ことを特徴とするブラインド制御システム。
【請求項９】
屋外光の状態から昼夜及び昼の日射の有無を判定するステップと、
外気温と室温から期間を判定するステップと、
空調機が冷房状態又は暖房状態かを判定するステップと、
前記昼夜及び昼の日射の有無と、前記期間と、前記空調機の冷房状態又は暖房状態と、からブラインドを制御するステップと、
を有する
ことを特徴とするブラインド制御方法。
【発明の詳細な説明】
【技術分野】
【０００１】
本発明は、室内への日射量を制御するブラインド制御装置、ブラインド制御システム、及びブラインド制御方法に関するものである。
【背景技術】
【０００２】
建築物に設置されるブラインドにおいて周囲の状況に応じてブラインドを制御する方法が開示されている（特許文献１参照）。
【先行技術文献】
【特許文献】
【０００３】
【特許文献１】特開２０１２−１４４９０７号公報
【特許文献２】特開２００８−２６９８３１号公報
【非特許文献】
【０００４】
【非特許文献１】「日射量による昼光照度の推定方法に関する研究」，井川憲男，島崎佐智代，中村洋著，日本建築学会計画系論文集，第526号，17-24，1999年12月
【発明の概要】
【発明が解決しようとする課題】
【０００５】
しかしながら、特許文献１に記載された技術は、周辺の状況に応じてリアルタイムにブラインドを制御するために、制御する毎に演算が必要となり、演算の負荷が大きくなってしまう。
【０００６】
本発明は上記課題を解決し、迅速に制御することが可能となるブラインド制御装置、ブラインド制御システム、及びブラインド制御方法を提供することを目的とする。
【課題を解決するための手段】
【０００７】
本発明にかかるブラインド制御装置は、
少なくとも昼夜と期間に応じてブラインドの制御モードが設定されるマトリックス表を記憶する記憶部と、
前記昼夜と前記期間を確認する状態確認部と、
前記状態確認部で確認された前記昼夜と前記期間に応じて前記記憶部に記憶された前記マトリックス表に基づいて前記ブラインドの角度を決定するブラインド角度決定部と、
を備える
ことを特徴とする。
【０００８】
本発明にかかるブラインド制御装置は、
前記マトリックス表において、前記期間は、室温と外気温によって夏期、中間期、又は冬期に分けられる
ことを特徴とする。
【０００９】
本発明にかかるブラインド制御装置は、
前記マトリックス表において、前記夏期、前記中間期、及び前記冬期は、それぞれ空調機の使用状態によって冷房状態と暖房状態に分けられる
ことを特徴とする。
【００１０】
本発明にかかるブラインド制御装置は、
前記マトリックス表において、前記昼は、日射有と日射無に分けられる
ことを特徴とする。
【００１１】
本発明にかかるブラインド制御装置は、
前記マトリックス表において、前記日射有と前記日射無は、それぞれ室内の執務者の位置情報によって分けられる
ことを特徴とする。
【００１２】
本発明にかかるブラインド制御装置は、
前記夏期の前記昼に前記日射有で前記冷房運転状態の場合、前記ブラインドを全閉にする
ことを特徴とする。
【００１３】
本発明にかかるブラインド制御装置は、
前記マトリックス表において、前記昼は、眩しさの指標によって分けられる
ことを特徴とする。
【００１４】
本発明にかかるブラインド制御システムは、
屋外光の状態を取得し、前記ブラインド角度算出部に入力する屋外光状態取得部と、
外気温を測定する外気温センサと、
室温を測定する室温センサと、
前記夏期、前記中間期、又は前記冬期を判定する期間判定部と、
前記室内を空調する空調機と、
前記複数のスラットのうち所定のスラットの角度を検出し、前記ブラインド角度算出部に入力するブラインド角度検出部と、
前記ブラインド制御装置と、
前記ブラインド角度決定部が決定した前記制御角度に応じて前記スラットを駆動し、前記複数のスラットの角度をそれぞれ変更する駆動部と、
を備える
ことを特徴とする。
【００１５】
本発明にかかるブラインド制御方法は、
屋外光の状態から昼夜及び昼の日射の有無を判定するステップと、
外気温と室温から期間を判定するステップと、
空調機が冷房状態又は暖房状態かを判定するステップと、
前記昼夜及び昼の日射の有無と、前記期間と、前記空調機の冷房状態又は暖房状態と、からブラインドを制御するステップと、
を有する
ことを特徴とする。
【発明の効果】
【００１６】
本発明にかかるブラインド制御装置によれば、
少なくとも昼夜と期間に応じてブラインドの制御モードが設定されるマトリックス表を記憶する記憶部と、
前記昼夜と前記期間を確認する状態確認部と、
前記状態確認部で確認された前記昼夜と前記期間に応じて前記記憶部に記憶された前記マトリックス表に基づいて前記ブラインドの角度を決定するブラインド角度決定部と、
を備えるので、
周囲の状態を測定し逐次演算して制御する場合と比較して、演算の負荷を小さくすることができると共に時間を短縮することができ、迅速に制御することが可能となる。
【００１７】
本発明にかかるブラインド制御装置によれば、
前記マトリックス表において、前記期間は、室温と外気温によって夏期、中間期、又は冬期に分けられるので、
季節毎に的確に制御することが可能となる。
【００１８】
本発明にかかるブラインド制御装置によれば、
前記マトリックス表において、前記夏期、前記中間期、及び前記冬期は、それぞれ空調機の使用状態によって冷房状態と暖房状態に分けられるので、
空調機１５の使用状態に応じて的確に制御することが可能となる。
【００１９】
本発明にかかるブラインド制御装置によれば、
前記マトリックス表において、前記昼は、日射有と日射無に分けられるので、
日射の状態に応じて的確に制御することが可能となる。
【００２０】
本発明にかかるブラインド制御装置によれば、
前記マトリックス表において、前記日射有と前記日射無は、それぞれ室内の執務者の位置情報によって分けられるので、
室内の執務者が存在する位置に応じて的確に制御することが可能となる。
【００２１】
本発明にかかるブラインド制御装置によれば、
前記夏期の前記昼に前記日射有で前記冷房運転状態の場合、前記ブラインドを全閉にするので、
より迅速に制御することが可能となる。
【００２２】
本発明にかかるブラインド制御装置によれば、
前記マトリックス表において、前記昼は、眩しさの指標によって分けられるので、
眩しさに応じて的確に制御することが可能となる。
【００２３】
本発明にかかるブラインド制御システムによれば、
屋外光の状態を取得し、前記ブラインド角度算出部に入力する屋外光状態取得部と、
外気温を測定する外気温センサと、
室温を測定する室温センサと、
前記夏期、前記中間期、又は前記冬期を判定する期間判定部と、
前記室内を空調する空調機と、
前記複数のスラットのうち所定のスラットの角度を検出し、前記ブラインド角度算出部に入力するブラインド角度検出部と、
前記ブラインド制御装置と、
前記ブラインド角度決定部が決定した前記制御角度に応じて前記スラットを駆動し、前記複数のスラットの角度をそれぞれ変更する駆動部と、
を備えるので、
周囲の状態を測定し逐次演算して制御する場合と比較して、演算の負荷を小さくすることができると共に時間を短縮することができ、迅速に制御することが可能となる。
【００２４】
本発明にかかるブラインド制御方法によれば、
屋外光の状態から昼夜及び昼の日射の有無を判定するステップと、
外気温と室温から期間を判定するステップと、
空調機が冷房状態又は暖房状態かを判定するステップと、
前記昼夜及び昼の日射の有無と、前記期間と、前記空調機の冷房状態又は暖房状態と、からブラインドを制御するステップと、
を有するので、
周囲の状態を測定し逐次演算して制御する場合と比較して、演算の負荷を小さくすることができると共に時間を短縮することができ、迅速に制御することが可能となる。
【図面の簡単な説明】
【００２５】
【図１】第１実施形態のブラインド制御システムを示す。
【図２】第１実施形態のブラインド制御システムのブラインド制御装置に用いるマトリックス表の一例を示す。
【図３】第２実施形態のブラインド制御システムのブラインド制御装置に用いるマトリックス表の一例を示す。
【図４】第３実施形態のブラインド制御システムのブラインド制御装置に用いるマトリックス表の一例を示す。
【図５】第４実施形態のブラインド制御システムを示す。
【図６】第４実施形態のブラインド制御システムのブラインド制御装置に用いるマトリックス表の一例を示す。
【発明を実施するための形態】
【００２６】
以下、図面を参照して本発明にかかるブラインド制御装置、ブラインド制御システム、及びブラインド制御方法の一実施形態を説明する。
【００２７】
図１は、第１実施形態のブラインド制御システム１を示す。
【００２８】
本実施形態のブラインド制御システム１では、ブラインド２は、窓５１の内側に隣接して、天井５２から床５３に向かって吊り下げられている。ブラインド２は、手動又は状況に応じて自動的に高さ、すなわちブラインド２の下端部の天井からの距離を変更することが可能である。また、使用しない場合には、ブラインド２はすべて天井５２の側へ引き上げておくことが可能である。ブラインド２は複数のスラット３を有する。複数のスラット３は、それぞれ角度が変更可能に形成されている。なお、本実施形態では、ブラインド２の角度という場合、最上位置のスラット３の角度とする。また、本実施形態のブラインド制御システム１は、室内に取り付けるブラインド２に適用しているが、外付けブラインド又は２枚のガラスの間に設置するダブルスキン内ブラインドにも適用可能である。
【００２９】
ブラインド制御装置３０は、ブラインド２を制御する装置である。なお、本実施形態のブラインド制御装置３０は、一般のブラインド２に適用することが可能である。
【００３０】
第１実施形態のブラインド制御装置３０は、日射量又は屋外照度等の屋外光の状態を検出する屋外光検知部１１から取得した屋外光の状態と、期間判定部１２から取得した期間と、外気温度計１３から取得した外気温と、室内温度計１４から取得した室温と、空調機１５から取得した空調状態と、ブラインド角度検出部１６から取得したブラインド角度と、から、マトリックス表を用いて、制御モードを選択してブラインドの制御角度を決定する。
【００３１】
図２は、第１実施形態のブラインド制御システム１のブラインド制御装置３０に用いるマトリックス表の一例を示す。
【００３２】
マトリックス表の縦軸は、昼夜に分けられ、さらに昼の日射の有無によって分けられる。日射量は、日射量センサ等の図１に示した屋外光状態取得部１１から取得する。日射量センサとしては、太陽追尾型日射計を用いる方法、又は日射計を複数用いる方法がある。太陽追尾型日射計は、直達光を直接測定し、拡散日射量及び直達日射量を取得する。日射系を複数用いる場合には、直達日射量を鉛直面日射量計測値から計算式により取得し、拡
散日射量を水平面日射量と直達日射量の差分により取得してもよい。日時、特に昼夜は、装置に内蔵された時計等から取得すればよい。取得した日射量は、予め定めた日射量閾値と比較して、多い場合には日射有、少ない場合には日射無と判断される。
【００３３】
このように本実施形態のブラインド制御装置３０は、日射の状態に応じて的確に制御することが可能となる。
【００３４】
マトリックス表の横軸は、空調状態によって分けられる。空調状態で分けるには、まず、夏期、中間期、又は冬期に分けられる。測定した外気温Ｔｏよりも測定した室温Ｔｉが低い場合は夏期、測定した外気温Ｔｏが予め定めた外気温閾値Ｔｏ’以下の場合は冬期、測定した外気温Ｔｏが予め定めた外気温閾値Ｔｏ’より高く、測定した室温Ｔｉよりも低い場合は中間期、にそれぞれ分けられる。
【００３５】
このように、本実施形態のブラインド制御装置３０は、ほぼ季節毎に的確に制御することが可能となる。
【００３６】
夏期、中間期、及び冬期は、空調状態によって、それぞれ次のように分けられる。空調状態は、図１に示した空調機１５から取得され、冷房、暖房、又は空調停止に分けられる。さらに、冷房は、室温Ｔｉが予め定めた室温閾値Ｔｉ’よりも高い場合と、室温Ｔｉが予め定めた室温閾値Ｔｉ’以下の場合に分けられる。
【００３７】
このように、本実施形態のブラインド制御装置３０は、空調機１５の使用状態に応じて的確に制御することが可能となる。
【００３８】
ブラインド制御装置３０は、検出された周囲の環境状態を、図２に示したマトリックス表に当てはめて、ブラインド２のモードを決定する。モードが決定した後、ブラインド角度検出部１６から取得したブラインド角度と決定した制御角度に応じて複数のスラット３をそれぞれ駆動し、複数のスラット３の角度を駆動部６１でそれぞれ変更する。
【００３９】
次に、マトリックス表で選択される各モードについて説明する。
【００４０】
ブラインド制御装置３０のマトリックス表に応じる制御は、全閉モード、眺望モード、及び採光角モードを有する。なお、夏に暖房する場合等、斜線の引かれている部分は、制御の必要がないと思われる場合である。
【００４１】
全閉モードは、ブラインド２を全閉するモードである。全閉モードは、日射による負荷が大きく日射を遮蔽する際、又は、断熱する際、に選択される。例えば、夏期、昼の日射がある時、室内を冷房している場合、日射を遮蔽するためにブラインド２は全閉される。また、夏期及び冬期ともに、夜は、断熱のためにブラインド２は全閉される。
【００４２】
眺望モードは、ブラインド２を全開するモードである。眺望モードは、昼光を利用する際、又は、室内の熱気を外気に放熱する際、に選択される。例えば、昼の日射の無い時、空調機の冷温水が停止している場合、昼光を利用するためにブラインド２は全開される。また、中間期、夜に冷房が作動及び空調機の冷温水が停止している場合、放熱するためにブラインド２は全開される。
【００４３】
採光角モードは、ブラインド２のスラット３の角度を制御するモードである。採光角モードは、スラット３の角度を制御して室内に太陽光を導入する際に選択される．例えば、昼に日射がある時、空調機の冷温水が停止している場合、太陽光を導入するためにブラインド２のスラット３の角度を制御する。
【００４４】
図２に示したマトリックス表のトーン化された部分は、省ＣＯ２制御をする部分である。ここでは、マトリックス表に記載された２つのモードのうちＣＯ２の排出量が少ないモードを選択する。例えば、夏期、昼の日射が無い時、空調機が冷房運転している際、眺望又は全閉のうちどちらかＣＯ２の排出量が少ないモードを選択する。ＣＯ２の排出量の算出は、特許文献２に記載された技術を用いればよい。
【００４５】
このように、第１実施形態のブラインド制御装置３０はマトリックス表を用いてブラインド２を制御するので、周囲の状態を測定し逐次演算して制御する場合と比較して、演算の負荷を小さくすることができると共に時間を短縮することができ、迅速に制御することが可能となる。
【００４６】
また、従来の省ＣＯ２制御では、リアルタイムの周囲の状態に応じて制御していたので晴天時でも雲が多い場合には日射量の変動が大きく、全閉と昼光利用の判定時にチャタリングが発生するおそれがあったが、第１実施形態のブラインド制御装置３０は、従来ならば省ＣＯ２制御をしていたモードを全閉又は全開するモードに代えてブラインド２を制御するので、チャタリング等の発生を抑制することが可能となる。例えば、夏期、日射がある時に冷房している場合には、日射を遮蔽するために、演算するまでもなくブラインド２を全閉するように制御すればよい。このような制御によりさらに迅速に制御することが可能となる。
【００４７】
図３は、第２実施形態のブラインド制御システム１のブラインド制御装置３０に用いるマトリックス表の一例を示す。
【００４８】
図３に示すマトリックス表は、省ＣＯ２制御をさらに少なくした例である。例えば、夏期の昼に日射が無く、冷房を停止している場合、図２に示したマトリックス表では省ＣＯ２制御を行っているが、図３に示すマトリックス表では、ブラインド２を全閉する制御を行う。また、中間期の昼に日射が無く、冷房を停止している場合、図２に示したマトリックス表では省ＣＯ２制御を行っているが、図３に示すマトリックス表では、ブラインド２を全開する制御を行う。
【００４９】
このように、さらに省ＣＯ２制御を少なくするので、さらにチャタリング等の発生を抑制することが可能となる。
【００５０】
図４は、第３実施形態のブラインド制御システム１のブラインド制御装置３０に用いるマトリックス表の一例を示す。
【００５１】
図４に示す第３実施形態のブラインド制御システム１のブラインド制御装置３０は、眩しさを指標として、マトリックス表を用いて、制御モードを選択してブラインド３の制御角度を決定する。
【００５２】
マトリックス表の縦軸は、昼夜に分けられ、さらに昼が眩しさの度合いによって分けられる。眩しさの指標は、グレア評価値を用いればよい。グレア評価値は、日射量センサ１１等から取得した日射量から、非特許文献１を参照して求めればよい。そして、求めたグレア評価値が予め定めた閾値以上の場合、眩しいＡと判断する。また、求めたグレア評価値が予め定めた閾値より小さい場合、眩しくないＢと判断する。
【００５３】
マトリックス表の横軸は、空調状態によって分けられる。空調状態で分けるには、まず、夏期、中間期、又は冬期に分けられる。そして、第３実施形態のマトリックス表では、それぞれの期間ごとに運転中と停止中に分けられる。
【００５４】
ブラインド制御装置３０は、検出された周囲の環境状態を、図５に示したマトリックス表に当てはめて、ブラインド２のモードを決定する。モードが決定した後、ブラインド角度検出部１６から取得したブラインド角度と決定した制御角度に応じて複数のスラット３をそれぞれ駆動し、複数のスラット３の角度を駆動部６１でそれぞれ変更する。
【００５５】
例えば、中間期の昼に空調機が冷房運転している時に、眩しいＡと判断した場合には、図３に示すマトリックス表では、省ＣＯ２制御を行っているが、図５に示すマトリックス表では、ブラインド２を全閉する制御を行う。
【００５６】
このように、第３実施形態のブラインド制御装置３０はマトリックス表を用いてブラインド２を制御するので、周囲の状態を測定しながら制御する場合と比較して、時間を短縮することができ、迅速に制御することが可能となる。また、眩しさの指標を用いることで、眩しさを緩和することが可能となる。
【００５７】
図５は、第４実施形態のブラインド制御システム１を示す。
【００５８】
第４実施形態のブラインド制御装置３０は、第１実施形態のブラインド制御システム１で用いられた屋外光検知部１１、期間判定部１２、外気温度計１３、室内温度計１４、空調機１５、及びブラインド角度検出部１６の他に、人感センサ１７の検出する執務者の位置情報から、マトリックス表を用いて、制御モードを選択してブラインドの制御角度を決定する。
【００５９】
図６は、第４実施形態のブラインド制御システム１のブラインド制御装置３０に用いるマトリックス表の一例を示す。
【００６０】
図６に示す第４実施形態のブラインド制御装置３０は、居室内の執務者の位置情報に応じたマトリックス表を用いて、制御モードを選択してブラインドの制御角度を決定する。
【００６１】
マトリックス表の縦軸は、昼夜に分けられ、さらに昼が執務者の室内での位置情報によって分けられる。執務者の位置情報は、窓際に執務者がいる場合ａ、窓際以外に執務者がいる場合ｂ、及び、執務者が不在の場合ｃに分けられる。
【００６２】
マトリックス表の横軸は、空調状態によって分けられる。空調状態で分けるには、まず、夏期、中間期、又は冬期に分けられる。そして、第４実施形態のマトリックス表では、それぞれの期間ごとに運転中と停止中に分けられる。
【００６３】
ブラインド制御装置３０は、検出された周囲の環境状態を、図６に示したマトリックス表に当てはめて、ブラインド２のモードを決定する。モードが決定した後、ブラインド角度検出部１６から取得したブラインド角度と決定した制御角度に応じて複数のスラット３をそれぞれ駆動し、複数のスラット３の角度を駆動部６１でそれぞれ変更する。
【００６４】
例えば、各期間の昼の制御について説明する。窓際に執務者がいる場合ａ、主に眩しさを緩和する制御を行う。執務者が不在の場合ｃ、眩しさを考慮しないで制御を行う。そして、窓際以外に執務者がいる場合ｂ、日射が有る時には眩しさを緩和する制御を行い、日射が無い時には眩しさを考慮しないで制御を行う。眩しさを緩和する制御では、ブラインド２を全閉して日射を遮蔽することが好ましい。
【００６５】
このように、第４実施形態のブラインド制御装置３０によれば、マトリックス表において、日射有と日射無は、それぞれ室内の執務者の位置情報によって分けられるので、室内
の執務者が存在する位置に応じて的確に制御することが可能となる。
【００６６】
なお、本発明にかかる実施形態では、ブラインド２が設置される建物の場所や窓の位置によって室内の状態は異なるので、マトリックス表は、使用者が設定してもよい。
【００６７】
以上、本実施形態のブラインド制御装置３０によれば、少なくとも昼夜と期間に応じてブラインドの制御モードが設定されるマトリックス表を記憶する記憶部３１と、昼夜と期間を確認する状態確認部３２と、状態確認部３２で確認された昼夜と期間に応じて記憶部３１に記憶されたマトリックス表に基づいてブラインド２の角度を決定するブラインド角度決定部３３と、を備えるので、周囲の状態を測定し逐次演算して制御する場合と比較して、演算の負荷を小さくすることができると共に時間を短縮することができ、迅速に制御することが可能となる。
【００６８】
本実施形態のブラインド制御装置３０によれば、マトリックス表において、期間は、室温と外気温によって夏期、中間期、又は冬期に分けられるので、ほぼ季節毎に的確に制御することが可能となる。
【００６９】
本実施形態のブラインド制御装置３０によれば、マトリックス表において、夏期、中間期、及び冬期は、それぞれ空調機１５の使用状態によって冷房状態と暖房状態に分けられるので、空調機１５の使用状態に応じて的確に制御することが可能となる。
【００７０】
本実施形態のブラインド制御装置３０によれば、マトリックス表において、昼は、日射有と日射無に分けられるので、日射の状態に応じて的確に制御することが可能となる。
【００７１】
本実施形態のブラインド制御装置３０によれば、マトリックス表において、日射有と日射無は、それぞれ室内の執務者の位置情報によって分けられるので、室内の執務者が存在する位置に応じて的確に制御することが可能となる。
【００７２】
本実施形態のブラインド制御装置３０によれば、夏期の昼に日射有で冷房運転状態の場合、ブラインド２を全閉にするので、より迅速に制御することが可能となる。
【００７３】
本実施形態のブラインド制御装置３０によれば、マトリックス表において、昼は、眩しさの指標によって分けられるので、眩しさに応じて的確に制御することが可能となる。
【００７４】
本実施形態のブラインド制御システム１によれば、屋外光の状態を取得し、状態確認部３２に入力する屋外光状態取得部１１と、外気温を測定する外気温センサ１３と、室温を測定する室温センサ１４と、夏期、中間期、又は冬期を判定する期間判定部１２と、室内を空調する空調機１５と、複数のスラット３のうち所定のスラット３の角度を検出し、ブラインド角度決定部３３に入力するブラインド角度検出部１６と、ブラインド制御装置３０と、ブラインド角度決定部３３が決定した制御角度に応じてスラット３を駆動し、複数のスラット３の角度をそれぞれ変更する駆動部６１と、を備えるので、周囲の状態を測定し逐次演算して制御する場合と比較して、演算の負荷を小さくすることができると共に時間を短縮することができ、迅速に制御することが可能となる。
【００７５】
本実施形態のブラインド制御方法によれば、屋外光の状態から昼夜及び昼の日射の有無を判定するステップと、外気温と室温から期間を判定するステップと、空調機が冷房状態又は暖房状態かを判定するステップと、昼夜及び昼の日射の有無と、期間と、空調機１５の冷房状態又は暖房状態と、からブラインド２を制御するステップと、を有するので、周囲の状態を測定し逐次演算して制御する場合と比較して、演算の負荷を小さくすることができると共に時間を短縮することができ、迅速に制御することが可能となる。
【符号の説明】
【００７６】
１…ブラインド制御システム、２…ブラインド、３…スラット、１１…屋外光状態取得
部、１２…期間判定部、１３…外気温度計、１４…室内温度計、１５…空調機、１６…ブラインド角度検出部、３０…ブラインド制御装置、３１…記憶部、３２…状態確認部、３３…ブラインド角度決定部、５１…窓、５２…天井、５３…床、６１…ブラインド駆動部（スラット駆動部）
【図１】
2016089588.tif 000003
【図２】
2016089588.tif 000004
【図３】
2016089588.tif 000005
【図４】
2016089588.tif 000006
【図５】
2016089588.tif 000007
【図６】
2016089588.tif 000008